(57)【要約】【課題】デジタル情報処理装置及びデジタル情報処理装置に漢字を入力する方法を提供する。【解決手段】ここに開示されるデジタル情報処理装置は、漢字の基本画に各々対応する画きー、部首キー、第１漢字形態キー及び第２漢字形態キーを具備する入力装置、漢字コードを貯蔵する貯蔵回路、表示装置、そして前記画キー、前記部首キー、前記第１漢字形態キー、前記第２漢字形態キーのうちいずれか一つの押しに応答して前記貯蔵回路に貯蔵された漢字のうち前記押されたキーと関連した漢字が前記表示装置上に表示されるように制御する制御器を含み、容易な方法により漢字を入力することができる。【選択図】  図１
2004213594.tif 000002
【特許請求の範囲】
【請求項１】
デジタル情報処理装置において、
漢字の基本画に各々対応する画キー、部首キー、第１漢字形態キー及び第２漢字形態キーを具備する入力装置と、
漢字コードを貯蔵する貯蔵回路と、
表示装置と、
前記画キー、前記部首キー、前記第１漢字形態キー、前記第２漢字形態キーのうちいずれか一つの押しに応答して前記貯蔵回路に貯蔵された漢字のうち前記押されたキーと関連した漢字が前記表示装置上に表示されるように制御する制御器とを含むことを特徴とするデジタル情報処理装置。
【請求項２】
前記制御器は前記押されたキーと関連した漢字が使用頻度に従って予め設定された配列に、前記表示装置上に表示されるように制御することを特徴とする請求項１に記載のデジタル情報処理装置。
【請求項３】
前記第１漢字形態キーは左右対称形態を有する漢字を選択するためのキーであることを特徴とする請求項１に記載のデジタル情報処理装置。
【請求項４】
前記制御器は、前記画キー、前記部首キー及び前記第２漢字形態キーのうちいずれか一つも押されない時に、前記第１漢字形態キーが押された後に、一連の画キーの押しに応答して、前記左右対称形態を有する漢字のうち前記押された一連の画キーと関連した漢字が前記表示装置上に表示されるように制御することを特徴とする請求項３に記載のデジタル情報処理装置。
【請求項５】
前記制御器は、前記画キーのうち一連の押されたキーに関連した漢字が前記表示装置の前記第２領域上に表示された状態で、前記第１漢字形態キーの押しに応答して前記一連の押されたキーに関連した漢字のうち前記左右対称形態を有する漢字が前記表示装置の前記第２領域上に表示されるように制御することを特徴とする請求項３に記載のデジタル情報処理装置。
【請求項６】
前記第２漢字形態キーは上下対称形態を有する漢字を選択するためのキーであることを特徴とする請求項１に記載のデジタル情報処理装置。
【請求項７】
前記制御器は、前記画キー、前記部首キー及び前記第１漢字形態キーのうちいずれか一つも押されない時に、前記第２漢字形態キーが押された後に、一連の画キーの押しに応答して前記上下対称形態を有する漢字のうち前記押された一連の画キーと関連した漢字が前記表示装置上に表示されるように制御することを特徴とする請求項６に記載のデジタル情報処理装置。
【請求項８】
前記制御器は、前記画キーのうち一連の押されたキーに関連した漢字が前記表示装置の前記第２領域上に表示された状態で、前記第２漢字形態キーの押しに応答して前記一連の押されたキーに関連した漢字のうち前記上下対称形態を有する漢字が前記表示装置の前記第２領域上に表示されるように制御することを特徴とする請求項６に記載のデジタル情報処理装置。
【請求項９】
前記表示装置は、
第１領域と、
第２領域とを含み、
前記制御器は前記押されたキーと関連した漢字が前記表示装置の前記第２領域に表示されるように制御することを特徴とする請求項１に記載のデジタル情報処理装置。
【請求項１０】
前記制御器は、前記画キー、前記第１漢字形態キー及び前記第２漢字形態キーのうちいずれか一つも押されない状態で、前記部首キーが入力される時に、部首が前記表示装置の前記第２領域に表示されるように制御することを特徴とする請求項９に記載のデジタル情報処理装置。
【請求項１１】
前記制御器は、前記表示装置の前記第２領域に表示された前記漢字のうちいずれか一つを指定するためのカーソルが表示されるように制御することを特徴とする請求項９に記載のデジタル情報処理装置。
【請求項１２】
前記制御器は、前記部首キーの押しに応答して前記カーソルが指定する漢字の部首が前記表示装置の前記第１領域に、そして前記カーソルが指定する漢字の部首を部首とする漢字が前記表示装置の前記第２領域に表示されるように制御することを特徴とする請求項１１に記載のデジタル情報処理装置。
【請求項１３】
前記入力装置は、前記表示装置の前記第２領域に表示された漢字のうち指定される漢字が変更されるように、前記カーソルを移動させるためのカーソル移動キーをさらに含むことを特徴とする請求項１１に記載のデジタル情報処理装置。
【請求項１４】
前記デジタル情報処理装置は携帯電話であることを特徴とする請求項１乃至第１３項のうちのいずれか一項に記載のデジタル情報処理装置。
【請求項１５】
前記入力装置は前記カーソルが指定する漢字を選択するための漢字選択キーをさらに含むことを特徴とする請求項１４に記載のデジタル情報処理装置。
【請求項１６】
前記制御器は前記漢字選択キーの押しに応答して前記カーソルが指定している漢字が前記表示装置の前記第１領域に表示されるように制御することを特徴とする請求項１５に記載のデジタル情報処理装置。
【請求項１７】
前記制御器は、前記カーソルが指定する漢字が少なくとも二つの部首を含む時に、前記部首キーが連続して二回押されることに応答して、前記カーソルが指定する漢字の部首の以外の部首が前記表示装置の前記第１領域に、そして前記カーソルが指定する漢字の部首の以外の部首を部首とする漢字が前記表示装置の前記第２領域に表示されるように制御することを特徴とする請求項１４に記載のデジタル情報処理装置。
【請求項１８】
前記デジタル情報処理装置はＰＤＡであることを特徴とする請求項１乃至第１３項のうちいずれか一項に記載のデジタル情報処理装置。
【請求項１９】
前記制御器は、前記表示装置の前記第２領域上に表示された漢字のうちいずれか一つが選択されることに応答して、前記選択された漢字を前記表示装置の前記第１領域上に表示することを特徴とする請求項１８に記載のデジタル情報処理装置。
【請求項２０】
前記制御器は、前記表示装置の前記第１領域上に表示された前記漢字が選択され、前記部首キーが入力されることに応答して、前記表示された漢字を部首別に分割して表示することを特徴とする請求項１９に記載のデジタル情報処理装置。
【請求項２１】
前記画キーは  各々
【表１】
2004213594.tif 000062
であることを特徴とする請求項１に記載のデジタル情報処理装置。
【請求項２２】
前記デジタル情報処理装置はコンピュータであることを特徴とする請求項１に記載のデジタル情報処理装置。
【請求項２３】
前記画キーは各々
【表２】
2004213594.tif 000063
であることを特徴とする請求項１に記載のデジタル情報処理装置。
【請求項２４】
デジタル情報処理装置に漢字を入力する方法において、
漢字形態キーを押す段階と、
前記漢字を構成する画を所定の順序に入力する段階と、
前記漢字形態キーと関連した漢字のうち前記入力された画からなる漢字を表示する段階と、
前記表示された漢字の中から一つを選択する段階とを含むことを特徴とする漢字入力方法。
【請求項２５】
前記漢字形態キーは左右対称形態を有する漢字を選択するためのキーであることを特徴とする請求項２４に記載の漢字入力方法。
【請求項２６】
前記漢字形態キーは上下対称形態を有する漢字を選択するためのキーであることを特徴とする請求項２４に記載の漢字入力方法。
【請求項２７】
前記表示段階は、
前記漢字形態キーと関連した漢字のうち前記入力された画からなる漢字を使用頻度に従って予め設定された配列に表示することを特徴とする請求項２４に記載の漢字入力方法。
【請求項２８】
前記画は各々
【表３】
2004213594.tif 000064
であることを特徴とする請求項２４に記載の漢字入力方法。
【請求項２９】
前記デジタル情報処理装置は携帯用通信装置であることを特徴とする請求項２４に記載の漢字入力方法。
【請求項３０】
前記デジタル情報処理装置はＰＤＡであることを特徴とする請求項２４に記載の漢字入力方法。
【請求項３１】
前記デジタル情報処理装置はコンピュータであることを特徴とする請求項２４に記載の漢字入力方法。
【請求項３２】
デジタル情報処理装置に漢字を入力する方法において、
前記漢字を構成する画を所定の順序に入力する段階と、
漢字形態キーを押す段階と、
前記入力された画からなる漢字のうち前記漢字形態キーと関連した漢字を表示する段階と、
前記表示された漢字の中から一つを選択する段階とを含むことを特徴とする漢字入力方法。
【請求項３３】
前記漢字形態キーは左右対称形態を有する漢字を選択するためのキーであることを特徴とする請求項３２に記載の漢字入力方法。
【請求項３４】
前記漢字形態キーは上下対称形態を有する漢字を選択するためのキーであることを特徴とする請求項３２に記載の漢字入力方法。
【請求項３５】
前記表示段階は、
前記漢字形態キーと関連した漢字のうち前記入力された画からなる漢字を使用頻度に従って予め設定された配列に表示することを特徴とする請求項３２に記載の漢字入力方法。
【請求項３６】
前記画は各々
【表４】
2004213594.tif 000065
であることを特徴とする請求項３２に記載の漢字入力方法。
【請求項３７】
前記デジタル情報処理装置は携帯用通信装置であることを特徴とする請求項３２に記載の漢字入力方法。
【請求項３８】
前記デジタル情報処理装置はＰＤＡであることを特徴とする請求項３２に記載の漢字入力方法。
【請求項３９】
前記デジタル情報処理装置はコンピュータであることを特徴とする請求項３２に記載の漢字入力方法。
【請求項４０】
デジタル情報処理装置に漢字を入力する方法において、
前記漢字を構成する画を所定の順序に入力する段階と、
前記入力された画からなる漢字を表示する段階と、
前記表示された漢字の中から一つを選択する段階と、
部首キーを入力する段階と、
前記選択された漢字の部首を部首とする漢字を表示する段階と、
前記部首キーを入力する段階と、
前記選択された漢字の部首を除いた部首を部首とする漢字を表示する段階とを含むことを特徴とする漢字入力方法。
【請求項４１】
前記表示段階は、
前記漢字形態キーと関連した漢字のうち前記入力された画からなる漢字を使用頻度に従って予め設定された配列に表示することを特徴とする請求項４０に記載の漢字入力方法。
【請求項４２】
前記画は各々
【表５】
2004213594.tif 000066
であることを特徴とする請求項４０に記載の漢字入力方法。
【請求項４３】
前記デジタル情報処理装置は携帯用通信装置であることを特徴とする請求項４０に記載の漢字入力方法。
【請求項４４】
前記デジタル情報処理装置はＰＤＡであることを特徴とする請求項４０に記載の漢字入力方法。
【請求項４５】
前記デジタル情報処理装置はコンピュータであることを特徴とする請求項４０に記載の漢字入力方法。
【請求項４６】
デジタル情報処理装置に漢字を入力する方法において、
前記漢字を構成する画を所定の順序に入力する段階と、
前記入力された画からなる漢字を表示する段階と、
前記表示された漢字の中から一つを選択する段階と、
部首キーを入力する段階と、
前記選択された漢字を構成する部首を分離して表示する段階と、
前記分離された部首の中から選択する段階と、
前記選択された部首を部首とする漢字を表示する段階と、
前記表示された漢字の中から一つを選択する段階とを含むことを特徴とする漢字入力方法。
【請求項４７】
前記表示段階は、
前記漢字形態キーと関連した漢字のうち前記入力された画からなる漢字を使用頻度に従って予め設定された配列に表示することを特徴とする請求項４６に記載の漢字入力方法。
【請求項４８】
前記画は各々
【表６】
2004213594.tif 000067
であることを特徴とする請求項４６に記載の漢字入力方法。
【請求項４９】
前記デジタル情報処理装置は携帯用通信装置であることを特徴とする請求項４６に記載の漢字入力方法。
【請求項５０】
前記デジタル情報処理装置はＰＤＡであることを特徴とする請求項４６に記載の漢字入力方法。
【請求項５１】
前記デジタル情報処理装置はコンピュータであることを特徴とする請求項４６に記載の漢字入力方法。
【請求項５２】
デジタル情報処理装置において、
漢字の基本画に各々対応する画キー、部首キー、第１漢字形態キー及び第２漢字形態キーを具備する入力装置と、
漢字コードを貯蔵する貯蔵回路と、
表示装置と、
前記画キー、前記部首キー、前記第１漢字形態キー、前記第２漢字形態キーとのうちいずれか一つの押しに応答して前記貯蔵回路に貯蔵された漢字のうち前記押されたキーと関連した漢字が前記表示装置上に表示されるように制御する制御器とを含み、
前記画キーは、
【表７】
2004213594.tif 000068
であることを特徴とするデジタル情報処理装置。
【請求項５３】
前記画キー
【表８】
2004213594.tif 000069
の一回押しは、
【表９】
2004213594.tif 000070
を連続して押すと同一であることを特徴とする請求項５２に記載のデジタル情報処理装置。
【請求項５４】
前記画キー
【表１０】
2004213594.tif 000071
の一回押しは、
【表１１】
2004213594.tif 000072
を連続して押すと同一であることを特徴とする請求項５２に記載のデジタル情報処理装置。
【発明の詳細な説明】
【０００１】
【発明の属する技術分野】
本発明はデジタル情報処理装置に関するものであり、さらに具体的には、漢字を入力することができるデジタル情報処理装置及びその方法に関するものである。
【０００２】
【従来の技術】
漢字は象形文字として、文字体系が比較的簡単であり、明確に確定されているハングルや英語、フランス語、ドイツ語、漢字を除いた日本語などとは異なり、各漢字ごとに、その形態、画数（文字を構成する基本的な形態学的要素の数：ｔｈｅ  ｎｕｍｂｅｒ  ｏｆ  ｓｔｏｋｅｓ  ｆｏｒ  ａ  Ｃｈｉｎｅｓｅ  ｃｈａｒａｃｔｅｒ）が定型化されていない複雑な文字で知られている。このような胎生的限界なので、漢字を電子機器に適用可能になるように、デジタル化することは非常に難しい課題になっている。
【０００３】
従来のコンピュータキーボードにおいて、漢字を入力する方法では、大きく▲１▼英語、ハングル、日本語などの表音文字を活用して、入力を所望する漢字の音をまず入力し、その音に該当する漢字群をディスプレーさせ、ディスプレーされた漢字群のうちで所望する漢字を指定して入力する方法（音借法）。▲２▼予め各漢字にその形態的特性別または部首（ｔｈｅ  ｒｏｏｆ  ｏｆ  ａ  Ｃｈｉｎｅｓｅｃｈａｒａｔｅｒ）別に辞書に分類番号を付与し、分類番号が記載されているマニュアルを参照し、分類番号を入力して所望する漢字を入力する方法（分類法）及び▲３▼漢字の形態を分解して抽出した、いくらかの基本図形に従って各漢字を辞書にコーディングし、使用者が基本図形を順次に入力すると、その順列を含む漢字群をディスプレーさせ、ディスプレーされた漢字群のうちで所望する漢字を指定して入力する方法（記号法）などが知られている。
【０００４】
音借法は、中国、台湾及び漢字文化圏に属する韓国、日本などで、英語または自国語で漢字の音を入力する方式が広く利用されている。しかし、この方法は、入力しようとする漢字を明確に知っていても、漢字の以外の言語に漢字音を入力し、ディスプレーされた同一音の漢字群から所望する漢字を選択しなければならない不便がある。また、同一形の漢字でも、各国家別に、具体的な音は全部相異であるので、音借法による入力方式は国家別に全部異なる体系により作動されることが当然である。さらに、中国、台湾などの漢字を専用している国家では、外国の文を通じて自国語を入力しなければならないという限界がある。
【０００５】
分類法は、米国特許第４，６８４，９２６号（１９８７年８月４日）、米国特許第５，７９０，９２６号（１９９８年８月４日）及び大韓民国公開特許第２０００−６９４３号（２０００年２月７日）に開示されている。
【０００６】
米国特許第４，６８４，９２６号は、全体漢字において、出現頻度が高く、使用頻度が高い基本部首を構成する５個の基本画と各漢字の位相学的な形態（ｔｏｐｏｌｏｇｉｃａｌ  ｐａｔｔｅｒｎｓ）に従って各漢字を８個の数字になった番号を付与して、コーディングする方法に関するものである。米国特許第５，７９０，９２６号も漢字の形態のうち４個の角の形態に従って分類した４個の数子になった番号（４−ｄｉｇｉｔｓ“ＦＲＡＭＥ”ｃｏｄｅ）と各文字において、代表的な部首（ｒｏｏｆ）の４個の角の形態に従って分類した４個の数子になった番号（４−ｄｉｇｉｔｓ“ＩＤ”ｃｏｄｅ）からなる８個の数子になった番号（８−ｄｉｇｉｔｓ）を各漢字に付与して、コーディングする方法を示している。大韓民国公開特許第２０００−６９４３号は漢字の画を５個の基本形態に決め、漢字の初めの二画と最後の二画の基本形態をコーディングするなどの方法により、漢字を入力する方法に関するものである。
【０００７】
しかし、電気分類法による漢字入力システムは、コード番号が重なる漢字が存在して例外に処理しなければならない場合が発生されるだけではなく、コード番号を暗記するか、コード番号集を参照しなければならない漢字を入力することができるので、使用するのが非常に不便であり、特に、例えば、携帯電話に対しては、ほとんど適用することができないという限界を有する。
【０００８】
記号法は、漢字の画を象徴化または簡単化し、これを基準にすべての漢字をコーディングしておき、使用者が前記象徴化または簡単化した画が表示されたキーを順次に押すと、入力された順列を含む漢字群をディスプレーして、使用者が所望する漢字を選択する方式である。現在、中国、台湾などで、一部の記号法に該当する入力システムが携帯電話に採用されている。
【０００９】
しかし、記号法が従来の他の入力システムに比べて便利で実用的であるが、所望する漢字がディスプレーされるまでは続けて基本画が表示された画キーを入力しなければならないという不便がある。さらに、使用者が入力しようとする漢字の部首のみ覚え、その他の正確な形態を覚えない場合に、キーに表示された画（視覚）と実際の漢字の画（知覚）との間の不一致により混同を起こす可能性が高いという限界がある。
【００１０】
【発明が解決しようとする課題】
本発明の目的は、漢字を容易に入力することができるデジタル情報処理装置及びその方法を提供することにある。
【００１１】
【課題を解決するための手段】
上述の目的を達成するために、本発明の特徴によると、デジタル情報処理装置は、漢字の基本画に各々対応する画キー、部首キー、第１漢字形態キー及び第２漢字形態キーを具備する入力装置、漢字コードを貯蔵する貯蔵回路、表示装置、そして前記画キー、前記部首キー、前記第１漢字形態キー、前記第２漢字形態キーのうちいずれか一つの押しに応答して前記貯蔵回路に貯蔵された漢字のうち前記押されたキーと関連した漢字が前記表示装置上に表示されるように制御する制御器を含む。
【００１２】
本発明の他の特徴によると、デジタル情報処理装置に漢字を入力する方法は、漢字形態キーを押す段階と、前記漢字を構成する画を所定の順序に入力する段階と、前記漢字形態キーと関連した漢字のうち前記入力された画からなる漢字を表示する段階と、前記表示された漢字の中から一つを選択する段階とを含む。
【００１３】
本発明のまた他の特徴によると、デジタル情報処理装置に漢字を入力する方法は、前記漢字を構成する画を所定の順次に入力する段階と、漢字形態キーを押す段階と、前記入力された画からなる漢字のうち前記漢字形態キーと関連した漢字を表示する段階と、前記表示された漢字の中から一つを選択する段階とを含む。
【００１４】
本発明の他の特徴によると、デジタル情報処理装置に漢字を入力する方法は、前記漢字を構成する画を所定の順序に入力する段階と、前記入力された画からなる漢字を表示する段階と、前記表示された漢字の中から一つを選択する段階と、部首キーを入力する段階と、前記選択された漢字を構成する部首を分離して表示する段階と、前記分離された部首の中から一つを選択する段階と、前記選択された部首を部首とする漢字を表示する段階と、前記表示された漢字の中から一つを選択する段階とを含む。
【００１５】
【発明の実施の形態】
永字八法は、昔から書いてきた書道の一番基本的な原則である。長い歳月の間、書法にも多様な変化があり、多い書体が登場したが、但し、変わらずに続いてきたことが永字八法である。永字八法は晉国の  Ｗａｎｇ  Ｘｉ−ｚｈｉ  （王羲之）が発明した筆法として、‘永’字で八法の大要を立てたことである。この八法をよく知っていたら、すべての文字を書くことができる。無数な漢字は、この八つの筆法の以外のことではないと言っても過言ではない。現在、中国でも使用している。簡字体、簡化漢字は１９５５年中国人民共和国が、同様の意味の文字が別の式に表現される文字を統一し、簡単に表現する方式を取ったこととして、書く筆画は純粋漢字の筆画と異ならない。すなわち、永字八法では、すべての漢字を書くことができる。永字八法の各画と画の名称及び画を書く方法を次の表１２に整理した。
【００１６】
【表１２】
2004213594.tif 000003
【００１７】
漢字の画を入力する順序及び方法は広く知られた次の通りである。
１．左側から右側に書く（例えば、森）
２．上から下に書く（例えば、支）
３．横画と縦画が重なる場合に、横画をまず書く（例えば、法）
４．左側はねり画と右側フォーリング画が接する場合に、左側はねり画をまず書く（例えば、人）
５．左右が対称になる場合には、中をまず書く（例えば、水）
６．囲む形は外側をまず書く（例えば、同）
７．文字全体を貫通する画は後に書く（例えば、中）
８．右点は後に打つ（例えば、成）
９．之繞は後に書く（例えば、退）
１０．  之繞の中、まず書く例外の文字もある（例えば、起）
【００１８】
本発明は上述のような永字八法と画入力の順序に基づいて、ポケットベール、携帯電話、携帯用領収証レシートなどのような携帯用通信装置、ＰＤＡ、コンピュータなどの漢字入力が要求されるすべてのデジタル情報処理装置に漢字を入力する方法を提供する。
【００１９】
図１は本発明の望ましい実施形態による漢字入力スキームを採用した携帯電話の外観を示している。図１を参照すると、携帯電話１０はキーパッド１２とキーパッド１２から入力されるキーに関連した画及び漢字を表示するためのＬＣＤパネル１１を含む。ＬＣＤパネル１１はキーパッド１２から入力されるキーに関連した画を表示するための第１領域１１Ａとキーパッド１２から入力されるキーに関連した漢字を表示するための第２領域１１Ｂに分離される。キー入力がない状態では、ＬＣＤパネル１１の第２領域１１Ｂが表示されない。
【００２０】
キーパッド１２は上述のような永字八法による８個の画
【表１３】
2004213594.tif 000004
が各々割り当てられた８個の画キーと左右対称漢字及び上下対称漢字を各々選択するための漢字形態キー（数字キー２、４、５、６、７、８、９、及び０に各々割り当てられる）、部首を入力するための部首キー（＊キーに割り当てられる）、ＬＣＤパネル１１の第２領域１１Ｂに表示された漢字のうちカーソルが指定する漢字を選択するための漢字選択キー（＃キーに割り当てられる）、表示された漢字を削除するためのクリアキー（ＣＬＲに表示する）、ＬＣＤパネル１１の第２領域１１Ｂに表示された漢字のうち指定される漢字が変更されるように、カーソルを移動させるためのカーソル移動キー
【表１４】
2004213594.tif 000005
を含む。上述のキーは、本発明の漢字入力と関連したキーとして、キーの位置や表示形式は多様に変更されることができ、キーパッド１２はそれら以外に漢字／数子入力をトグリングするための入力モード変更器（漢／Ｎｕｍに表示する）、インターネット接続器及び電源キーなどのような多様な機能キーをさらに具備する。この実施形態では、漢字入力と直接的に関連あるキーのみに対して説明する。
【００２１】
図２は本発明の漢字入力スキームが適用された他のデジタル情報処理装置であるＰＤＡの外観を示す図面である。よく知られたように、ＰＤＡの大部分はタッチスクリーン方式を採用している。したがって、図２に示したＰＤＡ２０は図１に示した携帯電話１０のキーパッド１２のキー配列とは少し異なるキー配列を有することができる。本発明は、多様な種類のデジタル情報処理装置に適用されることができるが、この実施形態では、図２に示したＰＤＡ１０の一例として説明する。
【００２２】
図３は図２に示した携帯電話１０の漢字入力スキームと関連ある機能的回路構成を示すブロック図である。図３を参照すると、ＰＤＡ１０はキーパッド１２、メモリ１３、制御器１４及びＬＣＤパネル１１を含む。キーパッド１２は図１に示したようなキーを具備し、キー入力に対応するキー信号を制御器１４に提供する。メモリ１３は漢字コードと、一連の画キー入力に関連した漢字、左右対称キー入力に関連した漢字、上下対称キー入力に関連した漢字及び部首キー入力に関連した漢字をデータベース形態に貯蔵する。制御器１４はレジスタ１５を含み、キーパッド１２から入力されたキーと関連した漢字をメモリ１３から読み出してＬＤＣパネル１１に表示する。
【００２３】
続けて、図４乃至図１０に示したフローチャートを参照して図３に示した制御器１４の漢字入力と関連した制御動作を詳細に説明する。
【００２４】
段階Ｓ１００で、制御器１４はキーパッド１２からキー入力を受け入れる。段階Ｓ１１０から段階Ｓ１７０まで制御器１４は入力されたキーがどのようなキーであるか、キーの種類を判別する。図４では、キーの種類を判別する過程が段階Ｓ１１０からＳ１７０まで順次に遂行されることで図示したが、その順序は多様に変更可能であり、段階Ｓ１１０から段階Ｓ１７０までの判別過程が並列に処理されることができる。
【００２５】
携帯電話１０に具備されたキーを利用して漢字を入力する方法は、多様であるが、大きく三つの方法に分けることができる。
１．画キーを順次に押して入力する方法。
２．漢字形態キーを利用して入力する方法。
３．部首キーを利用して入力する方法。
【００２６】
画キーを順次に押して漢字を入力する時に、制御器１４の具体的な動作が、以下説明され、キー入力に従って携帯電話１０のＬＣＤパネル１１に表示される画面が図１１乃至図１５に順次に示している。例えば、‘耳’字を入力するためには、画キーが
【表１５】
2004213594.tif 000006
順に入力すべきである。
【表１６】
2004213594.tif 000007
【００２７】
段階Ｓ１１０で、制御器１４はキーパッド１２から入力されたキーが画キーの中から一つであるか否かが判別される。キーパッド１２から入力されたキーが‘耳’字の一番目のキー
【表１７】
2004213594.tif 000008
であれば、その制御は図５に示した段階Ｓ１１１に進行する。段階Ｓ１１１で、制御器１４は入力されたキー
【表１８】
2004213594.tif 000009
に対応する画
【表１９】
2004213594.tif 000010
をレジスタ１５に貯蔵する（事実、レジスタ１５に貯蔵された値は画
【表２０】
2004213594.tif 000011
に対応するコードである。しかし、説明の便宜上、画という）。
【００２８】
段階Ｓ１２１で、制御器１４はレジスタ１４に貯蔵された画
【表２１】
2004213594.tif 000012
と関連ある漢字（すなわち、画
【表２２】
2004213594.tif 000013
を一番目の画にする漢字）を表示する（図１１参照）。ここで、ＬＣＤパネル１１の第２領域１１ａに表示された漢字は使用頻度に従って一定の順序に表示される。ＬＣＤパネル１１の第２領域１１ａに表示されることができる漢字の個数が総６個である時に、漢字各々の使用頻度の順位は、左側から右側に５、３、１、２、４及び６である。すなわち、左側から三番目の位置には使用頻度が一番高い漢字が表示され、一番右側には使用頻度が一番低い漢字が表示される。例えば、画
【表２３】
2004213594.tif 000014
と関連ある漢字のうち使用頻度が高い６個の漢字が使用頻度順序に従って、一、來、不、子、在及び有であれば、ＬＣＤパネル１１には在、不、一、来、子及び有の順序に表示される。段階Ｓ１１３で、制御器１４は、カーソルが表示された漢字のうち使用頻度が一番高い漢字（一）を指定するように制御する。このように表示する理由は、使用者が所望する漢字を探すために、カーソルを移動させる個数を最小化するためである。カーソルを一番左側に位置させると、一番右側に位置した漢字を探すために、右側のカーソル移動キーを５回入力すべきであるが、本発明によると、右側のカーソル移動キーを３回のみ移動させてもいいので、全体的な漢字入力時間を短縮させることができる。以後の説明においても、特別な言及がない限り、入力されたキーと関連ある６個の漢字がＬＣＤパネル１１に表示される時に、漢字は上述のような順次に表示され、カーソルは左側から三番目に位置した使用頻度が一番高い漢字を指すことにする。カーソルが表示された後に、その制御は段階Ｓ１００にリターンする。
【００２９】
図１１を参照すると、使用者が入力しようとする漢字、‘耳’が表示されないので、使用者がは次の画キー
【表２４】
2004213594.tif 000015
を入力する。段階Ｓ１１１で入力された画
【表２５】
2004213594.tif 000016
はレジスタ１５に貯蔵される。段階Ｓ１１２で、制御器１４はレジスタ１５に貯蔵された画
【表２６】
2004213594.tif 000017
の組み合わせと関連ある漢字をＬＣＤパネル１１の第２領域１１Ｂ上に表示する。
【００３０】
図１２に示したように、画
【表２７】
2004213594.tif 000018
の組み合わせによっても使用者が入力しようとする漢字‘耳’が表示されないので、使用者は次の画キー
【表２８】
2004213594.tif 000019
を入力する。入力された画
【表２９】
2004213594.tif 000020
はレジスタ１５に貯蔵され（段階Ｓ１１１）、レジスタ１５に貯蔵された画
【表３０】
2004213594.tif 000021
の組み合わせと関連ある漢字はＬＣＤパネル１１の第２領域１１Ｂ上に表示される（段階Ｓ１１２）。
【００３１】
図１３を参照すると、画
【表３１】
2004213594.tif 000022
の組み合わせによっても使用者が入力しようとする漢字‘耳’が表示されないので、使用者は次の画キー
【表３２】
2004213594.tif 000023
を入力する。入力された画
【表３３】
2004213594.tif 000024
はレジスタ１５に貯蔵され（段階Ｓ１１１）、レジスタ１５に貯蔵された画
【表３４】
2004213594.tif 000025
の組み合わせと関連ある漢字はＬＣＤパネル１１の第２領域１１Ｂ上に表示される（段階Ｓ１１２）。
【００３２】
図１４を参照すると、
【表３５】
2004213594.tif 000026
の組み合わせと関連ある漢字の中から所望する漢字‘耳’がＬＣＤパネル１１の第２領域１１Ｂに表示された。使用者は右側のカーソル移動キー
【表３６】
2004213594.tif 000027
を利用して‘耳’が貯蔵されるようにする。
【００３３】
段階Ｓ１５０で、右側のカーソル入力キー
【表３７】
2004213594.tif 000028
が入力されたと判別すれば、その制御は段階Ｓ１５１に移動する。段階Ｓ１５１でカーソルは‘耳’を指定する。カーソルが指定している‘耳’を選択するためには、漢字選択キーを押すべきである。
【００３４】
段階Ｓ１７０で、漢字選択キーが押されたと判別すれば、その制御は図９に示した段階Ｓ１７１に進行する。段階Ｓ１７１で、制御器１４はＬＣＤパネル１１の第１領域１１Ａに表示された画
【表３８】
2004213594.tif 000029
を削除し、カーソルが指定する漢字‘耳’をＬＣＤパネル１１の第１領域１１Ａ、すなわち、漢字入力画面に表示する。漢字選択キーが入力された後には、ＬＣＤパネル１１の第２領域１１Ａには、選択された漢字‘耳’と関連ある、すなわち、‘耳’字に相続く使用される漢字のうち使用頻度が高い６個の漢字が表示される。‘耳’字に相続く使用される漢字がＬＣＤパネル１１に表示されれば、表示された漢字を選択し、新しい文字を入力したければ、新しい画キーを入力する。段階Ｓ１７２で、制御器１４はレジスタ１５に貯蔵された画
【表３９】
2004213594.tif 000030
を削除する。このように、本発明は最少限の画キーを順次に入力することによって、所望する漢字に接近することができる。
【００３５】
第２、漢字形態キーを利用して携帯電話１０に漢字を入力する方法は、次の通りである。漢字形態キーを利用する方法は、再び二つに分ける。漢字形態キーを先ず入力し、画キーを入力することと、画キーを入力する中に漢字形態キーを押すことである。この実施形態では、漢字形態を三つの分類に分けた。三つの分類は、左右対称型、上下対称型及び左右対称及び上下対称の両側どこでも属しない漢字である。この実施形態で、左右対称型の漢字を選択するためのキーは
【表４０】
2004213594.tif 000031
として、数字キー１に割り当てられ、上下対称型漢字を選択するためのキーは
【表４１】
2004213594.tif 000032
として数子キー３に割り当てられる。左右対称型漢字を入力する方法と上下対称型漢字を入力する方法は、実質的に同一であるので、左右対称型漢字を入力する方法のみに対して具体的に説明する。
【００３６】
例えば、‘耳’字を左右対称型キーを利用して入力する方法は次の通りである。まず、左右対称型キーが入力された後に、画を入力する方法である。段階Ｓ１３０で、入力されたキーが左右対称キーであると判別すれば、その制御は図７に示した段階Ｓ１３１に進行する。段階Ｓ１３１で、制御器１４はレジスタ１５に貯蔵された画があるか否かを判別する。先に、画キーが入力されない状態で、左右対称型キーが入力されると仮定したので、レジスタ１５にはどのような画も貯蔵されていない。したがって、その制御は段階Ｓ１３２に進行する。段階Ｓ１３４で、制御器１４は後続画キー入力によってメモリが接近（ａｃｃｅｓｓ：アクセス）される時に、メモリに貯蔵された漢字のうち左右対称形態を有する漢字のみ接近されるように制御する。その制御は、段階Ｓ１００にリターンする。続けて、‘取’字の画を順次に入力する。参考に、‘取’字を入力するためには、画キーが
【表４２】
2004213594.tif 000033
順に入力されなければならない。
【００３７】
段階Ｓ１００で、制御器１４はキー入力を受け入れる。段階Ｓ１１０で入力されたキーが画キーであると判別すれば、その制御は段階Ｓ１１１に進行する。段階Ｓ１１１で、制御器１４は入力された画をレジスタ１５に貯蔵する。段階Ｓ１１１で、制御器１４はレジスタ１５に貯蔵された画と関連ある漢字をメモリ１３から読み出し、先の説明のように、左右対称型である漢字の中からレジスタ１５に貯蔵された画と関連ある漢字を読み出してＬＣＤパネル１１の第２領域を表示する。このように、漢字の形態をまず指定した状態で、画を入力する方法によると、画キーのみを有して漢字を入力する時に比べて、所望する漢字を入力するのにかかる画入力回数と時間が減少される。
【００３８】
反対に、画を入力する中に、左右対称キーが押される時に、制御器１４は次のように動作する。この実施形態では、レジスタ１５に少なくとも一つ以上の画が貯蔵されていると仮定する。レジスタ１５に少なくとも一つ以上の画が貯蔵されていることは、予めＬＣＤパネル１１上にレジスタ１５に貯蔵された一連の画と関連ある漢字が表示されていることを意味する。この状態で、段階Ｓ１３０で、左右対称キーが押されると、その制御は段階Ｓ１３１に進行する。段階Ｓ１３１の判別の結果、レジスタに一連の画が貯蔵されたと判別するので、その制御は段階Ｓ１３２に進行する。段階Ｓ１３２で、制御器１４はレジスタ１５に貯蔵された一連の画に対応する漢字のうち左右対称形態を有する漢字をＬＣＤパネル１１の第２領域１１Ｂに表示する。段階Ｓ１３３で、制御器１４はカーソルがＬＣＤパネル１１の第２領域１１Ｂに表示された漢字のうち使用頻度が一番高い漢字を指定するように制御する。このように漢字の画を入力する中に、形態を指定するためのキー（すなわち、左右対称キーまたは上下対称キー）を入力する方法によると、画キーのみを有して漢字を入力する時に比べて、所望する漢字を入力するのにかかる画入力回数と時間が減少される。
【００３９】
図４に示した段階Ｓ１４０では、入力されたキーが上下対称キーであるか否かが判別され、判別の結果、入力されたキーが上下対称キーであれば、その制御は図８に示した段階Ｓ１４１に進行する。段階Ｓ１４１から段階Ｓ１４４の動作は、図７に示した左右対称キー入力による動作と類似であるので、詳細な説明は省略する。
【００４０】
最後に、部首キーを利用して漢字を入力する方法に対して説明する。部首キーを利用した漢字入力方法は、部首キーを押す時点と押す回数に従って、少しずつ異なり動作する。具体的に、部首キーを利用した漢字入力方法は▲１▼画キーを押さない状態で、最初に部首キーを押す方式、▲２▼カーソルが特定の漢字を示している時に、部首キーを１回押す方式、▲３▼カーソルが特定の漢字を示している時に、部首キーを２回押す方式がある。
【００４１】
画キーを押さない状態で、最初に部首キーを押す方式による漢字入力方式は次の通りである。例えば、‘土’を部首とする‘地’字を入力したければ、部首キーを押して、部首‘土’を探して、カーソルが部首‘土’を指定するようにし、部首キーを押して、‘土’を部首とする漢字のうち‘地’を探す。
【００４２】
まず、段階Ｓ１２０で、制御器１４は入力されたキーが部首キーであるか否かを判別する。入力されたキーが部首キーであると判別すれば、その制御は図６に示した段階１２１に進行する。段階Ｓ１２１で、制御器１４はＬＣＤパネル１１に表示された漢字があるか否かを判別する。すなわち、現在入力された部首キーが最初に入力されたキーであるか否かを判別する。現在入力された部首キーが最初に入力されたキーであると判別すれば、その制御は段階Ｓ２３５に進行する。
段階Ｓ１２５で、制御器１４はメモリ１３に貯蔵された部首を読み出して、そのうち使用頻度が高い６個の部首をＬＣＤパネル１１の第２領域１１Ｂに表示する。例えば、使用頻度が高い６個の部首は使用頻度順に、一、白、人、乙、日及び土である。使用者は、‘地’字を入力するために、カーソル移動キーを利用してカーソルを‘土’字に位置させる。カーソルが‘土’を指定した状態で、再び部首キーが入力されれば、その制御は段階Ｓ１２１に進行する。段階Ｓ１２１では、ＬＣＤパネル１１の第２領域１１Ｂに表示された漢字があると判別されるので、その制御は段階Ｓ１２２に進行する。部首キーが連続２回入力されなければ、その制御は段階Ｓ１２６に進行する。段階Ｓ１２６で、制御器１４はカーソルが指定する漢字の部首の画をレジスタ１５に貯蔵する。すなわち、‘土’の画をレジスタ１５に貯蔵する。段階Ｓ１２７では、カーソルが指定する漢字の部首を部首とする漢字をＬＣＤパネル１１の第２領域１１Ｂに表示する。以後、使用者はカーソル移動キーを利用して‘土’字を部首とする漢字のうち所望する漢字である‘地’字にカーソルが位置するようにカーソルを移動させる。
【００４３】
次に、カーソルが特定の漢字を示す時に、部首キーを１回押す方式は先の説明のように、カーソルが‘土’を指定した状態で、部首キーを入力すると同一であるので、詳細な説明は省略する。
【００４４】
最後に、カーソルが特定の漢字を示している時に、部首キーを二回押す方式による漢字入力方法は次の通りである。例えば、カーソルが‘取’字を指定している時に、部首キーが１回入力されれば、段階Ｓ１２２の判別の結果、その制御は段階Ｓ１２６に進行して‘取’の部首である‘耳’を部首とする漢字を表示し、カーソルは依然として‘取’字を指定している。この状態で、再び部首キーが一回入力されれば、段階Ｓ１２２で、部首キーが連続２回入力されたと判別して、その制御は段階Ｓ１２３に進行する。段階Ｓ１２３で、制御器１４はカーソルが指定する漢字の部首を除いた残りの画での部首を部首とする漢字を表示する。先の例で、‘取’字の部首は‘耳’であり、部首‘耳’を除いた残りの画での部首は‘又’であるので、制御器１４は‘又’を部首とする漢字をＬＣＤパネル１１の第２領域１１Ｂに表示する。段階Ｓ１２４で、制御器１４はＬＣＤパネル１１の第２領域１１Ｂに表示された漢字のうち使用頻度が一番高い漢字上にカーソルが位置するように制御する。
【００４５】
現在、大韓民国で使用されている小型漢字辞書には約８千〜一万個の漢字が収録されており、部首は約２５０個に至る。一つの部首には、平均的に３２〜４０個の漢字が割り当てられる。したがって、本発明による部首キーを利用した漢字入力方法は、最初から約８千〜一万個の漢字を入力することではなく、約２５０個の部首コーディング情報を照会して部首を決めた後に、平均３２〜４２個の漢字の中から使用頻度順位に従って漢字を決めることができる。したがって、本発明によると、システム負荷が大幅減少され、データベース照会にかかる時間が減少されるだけではなく、使用者のキー入力打数も大幅減少する。さらに、入力しようとする漢字の全体画を知っていなくても、漢字を入力することができるだけではなく、漢字の入力時間を短縮させることができる。また、入力しようとする漢字の部首を誤入力しても、表示された漢字のうち所望する部首を有している漢字上で、二回連続部首キーを押すことによって、漢字の訂正が容易にした。
【００４６】
一方、画を誤入力した場合には、削除キー（すなわち、クリアキー）を押す。段階Ｓ１７０で、削除キーが入力されたと判別すれば、その制御は図９に示した段階Ｓ１６１に進行する。段階Ｓ１６１で、制御器１４はレジスタ１５に貯蔵された画のうち最後に貯蔵された画を削除する。段階Ｓ１６２で、制御器１４はレジスタ１５に貯蔵された画があるか否かを判別する。判別の結果、レジスタ１５に貯蔵された画があれば、その制御は段階Ｓ１６３に進行する。段階Ｓ１６３で、制御器はレジスタ１５に貯蔵された一連の画と関連ある漢字をＬＣＤパネル１１の第２領域１１Ｂに表示される。段階Ｓ１６４で、制御器１４はカーソルがＬＣＤパネル１１の第２領域１１Ｂに表示された漢字のうち使用頻度が一番高い漢字を指定するように制御する。
【００４７】
タッチスクリーンを採用したデジタル情報処理装置（例えば、ＰＤＡ）の漢字入力方法と入力されたキーと関連ある漢字を表示する方法は、先の説明の携帯電話のそれと少し異なる。すなわち、携帯電話では、カーソル移動ーキーの入力回数を最小化するために、ＬＣＤパネル１１の第２領域１１ａに表示されることができる漢字の個数が総６個である時に、漢字各々の使用頻度順位は左側から右側に５、３、１，２、４及び６である。しかし、ＰＤＡでは、入力されたキーと関連ある漢字を第２表示領域２１Ｂの左側から右側に、そして、上から下の順に使用頻度に従って表示する。例えば、
【表４３】
2004213594.tif 000034
キーを入力した時に、
【表４４】
2004213594.tif 000035
画を一番目の画にする漢字のうち使用頻度が高い６個の漢字が使用頻度の順に一、来、不、子、在及び有である時に、第２表示領域２１Ｂには図２に示したように表示される。しかし、図２は入力されたキー
【表４５】
2004213594.tif 000036
と関連ある漢字のうち使用頻度が高い６個の漢字を例示的に示すことであり、この分野の通常的の知識を持つ者ならば、一行に表示される漢字の個数、全体画面に表示される漢字の個数などは自由に変更可能であることが分かる。
【００４８】
携帯電話の漢字入力方法とＰＤＡ漢字入力方法のうち一番大きく異なる点は、部首を利用した漢字入力方法である。先の説明のように、携帯電話では、カーソルが特定の漢字を指定している時に、部首キーが連続２回入力されれば、カーソルが指定している漢字の部首を除いた画のうちの部首を部首とする漢字を表示した。しかし、ＰＤＡの漢字入力方法は少し異なる。
【００４９】
図１６乃至図２２は本発明の漢字入力スキームを採用したＰＤＡで‘耳’字を入力する過程を順次に示す図面であり、図２３乃至図３０は本発明の漢字入力スキームを採用したＰＤＡで、‘取’字を入力する過程を順次に示す図面であり、図３１乃至図３３は本発明の漢字入力スキームを採用したＰＤＡで‘可’字を入力する過程を順次に示す図面である。
【００５０】
図１６乃至図２２を参照すると、‘耳’字を入力するために、画キーを
【表４６】
2004213594.tif 000037
の順に入力する。各々のキーを入力した時に、入力された画と関連ある漢字のうち使用頻度が高い漢字８個が表示される。この時に、８個の漢字は使用頻度が一番高いことから低いことの順序にＰＤＡの左側から右側にディスプレーされ、一番目の漢字上にカーソルが置かれる。
【００５１】
図２３乃至図２８は‘取’字を入力するために‘取’字の部首‘耳’字を入力する過程を示している。図２８まで進行された状態で、部首キーを押すと、図２９に示したように、選択しなさいというメッセジ（Ｓｅｌｅｃｔ）が表示される。この時に、スタイラス（ｓｔｙｌｕｓ）のようなキー入力道具を利用して‘耳’字を選択すると、図３０に示したように、‘耳’字を部首とする漢字のうち使用頻度が高い８個の漢字が表示される。この時に、使用者がスタイラスペンを利用して‘取’字を選択することによって‘取’字の入力が完了される。
【００５２】
図示せずが、‘取’字が選択された状態で、再び部首キーが入力されれば、‘取’が‘耳’字と‘又’字に分離されて漢字入力画面に表示される。この時に、使用者が‘耳’字を選択すると、‘耳’字を部首とする漢字が再び表示され、‘又’字を選択すると、‘又’字を部首とする漢字が再び表示される。したがって、‘取’字が選択された状態で、‘又’字を部首とする漢字を便利に入力することができる。
【００５３】
図３１乃至図３３は初めに、部首キーを入力して‘可’字を入力する順序を示している。図３１を参照すると、どのようなキーも入力されない状態で、部首キーが入力されれば、使用頻度が高い８個の部首が表示され、選択しなさいというメッセジ（Ｓｅｌｅｃｔ）が表示される。図３２を参照すると、使用者が‘一’字を選択すると、‘一’字を部首とする漢字が表示される。この時に、使用者が所望する漢字‘可’字が表示されたので、使用者は‘可’字を選択する。図３３は使用者が‘可’字を選択した時に、‘可’字と続いて使用される漢字のうち使用頻度が高い８個の漢字が表示されることを例示的に示している。
【００５４】
図３４は本発明の他の実施形態による漢字入力スキームを採用した携帯電話の外観を示している。図３４を参照すると、携帯電話３０はキーパッド３２とキーパッド３２から入力されるキーに関連した画または漢字を表示するためのＬＣＤパネル３１を表示する。
【００５５】
キーパッド３２は図１に示したキーパッド１２と類似の構成を有するが、三番のキーと０番のキーに割り当てられた画が各々異なる。三番のキーには画
【表４７】
2004213594.tif 000038
が割り当てられ、０番のキーには画
【表４８】
2004213594.tif 000039
が割り当てられる。画キー
【表４９】
2004213594.tif 000040
を一度押す動作は画キー
【表５０】
2004213594.tif 000041
、画キー
【表５１】
2004213594.tif 000042
、画キー
【表５２】
2004213594.tif 000043
または画キー
【表５３】
2004213594.tif 000044
を連続して押すと同一である。画キー
【表５４】
2004213594.tif 000045
の押しにより入力されることができる漢字は表５５に整理されている。
【００５６】
【表５５】
2004213594.tif 000046
【００５７】
画キー
【表５６】
2004213594.tif 000047
を一度押す動作は、図１に示したキーパッド１２で、画キー
【表５７】
2004213594.tif 000048
、画キー
【表５８】
2004213594.tif 000049
または画キー
【表５９】
2004213594.tif 000050
を連続して押すと同一である。画キー
【表６０】
2004213594.tif 000051
の押しにより入力されることができる漢字は表６１に整理されている。
【００５８】
【表６１】
2004213594.tif 000052
【００５９】
図３５は本発明のまた他の実施形態による漢字入力スキームを採用した携帯電話の外観を示している。図３５を参照すると、携帯電話４０はキーパッド４２とキーパッド４２から入力されるキーに関連した画または漢字を表示するためのＬＣＤパネル４１を含む。
【００６０】
キーパッド４２は図３４に示したキーパッド３２と類似の構成を有するが、一番のキーに割り当てられた画が各々異なる。一番のキーには画
【表６２】
2004213594.tif 000053
が割り当てられる。画キー
【表６３】
2004213594.tif 000054
を一度押す動作は画キー
【表６４】
2004213594.tif 000055
、画キー
【表６５】
2004213594.tif 000056
、画キー
【表６６】
2004213594.tif 000057
または画キー
【表６７】
2004213594.tif 000058
を連続して押すと同一である。画キー
【表６８】
2004213594.tif 000059
の押しにより入力されることができる漢字は表６９に整理されている。
【００６１】
【表６９】
2004213594.tif 000060
【００６２】
上述のように、画キー
【表７０】
2004213594.tif 000061
は各々二つまたは三つのキーに代えて一度のキー入力により漢字の画を入力することができるので、キー押し個数が図１に比べて短縮されることが分かる。
【００６３】
例示的な望ましい実施形態を利用して本発明を説明したが、本発明の範囲は開示された実施形態に限定されないことがよく理解されれることができる。したがって、請求範囲はそのような変形例またはそれと類似の構成を全部含むと広く解釈されなければならない。
【００６４】
【発明の効果】
このように、本発明によると、デジタル処理装置に漢字を容易な方法で入力することができ、漢字を入力するのにかかるキー入力回数と時間を顕著に減少させることができる。
【図面の簡単な説明】
【図１】本発明の望ましい実施形態による漢字入力スキームを採用した携帯電話の外観を示す図面である。
【図２】本発明の漢字入力スキームが適用された他のデジタル情報処理装置であるＰＤＡの外観を示す図面である。
【図３】図２に示した携帯電話の漢字入力スキームと関連ある機能的回路構成を示すブロック図である。
【図４】携帯電話に漢字を入力する手順を示すフローチャートである。
【図５】携帯電話に漢字を入力する手順を示すフローチャートである。
【図６】携帯電話に漢字を入力する手順を示すフローチャートである。
【図７】携帯電話に漢字を入力する手順を示すフローチャートである。
【図８】携帯電話に漢字を入力する手順を示すフローチャートである。
【図９】携帯電話に漢字を入力する手順を示すフローチャートである。
【図１０】携帯電話に漢字を入力する手順を示すフローチャートである。
【図１１】キー入力に従って携帯電話のＬＣＤパネルに表示される画面を示す図面である。
【図１２】キー入力に従って携帯電話のＬＣＤパネルに表示される画面を示す図面である。
【図１３】キー入力に従って携帯電話のＬＣＤパネルに表示される画面を示す図面である。
【図１４】キー入力に従って携帯電話のＬＣＤパネルに表示される画面を示す図面である。
【図１５】キー入力に従って携帯電話のＬＣＤパネルに表示される画面を示す図面である。
【図１６】本発明の漢字入力スキームを採用したＰＤＡで、‘耳’字を入力する過程を順次に示す図面である。
【図１７】本発明の漢字入力スキームを採用したＰＤＡで、‘耳’字を入力する過程を順次に示す図面である。
【図１８】本発明の漢字入力スキームを採用したＰＤＡで、‘耳’字を入力する過程を順次に示す図面である。
【図１９】本発明の漢字入力スキームを採用したＰＤＡで、‘耳’字を入力する過程を順次に示す図面である。
【図２０】本発明の漢字入力スキームを採用したＰＤＡで、‘耳’字を入力する過程を順次に示す図面である。
【図２１】本発明の漢字入力スキームを採用したＰＤＡで、‘耳’字を入力する過程を順次に示す図面である。
【図２２】本発明の漢字入力スキームを採用したＰＤＡで、‘耳’字を入力する過程を順次に示す図面である。
【図２３】本発明の漢字入力スキームを採用したＰＤＡで、‘取’字を入力する過程を順次に示す図面である。
【図２４】本発明の漢字入力スキームを採用したＰＤＡで、‘取’字を入力する過程を順次に示す図面である。
【図２５】本発明の漢字入力スキームを採用したＰＤＡで、‘取’字を入力する過程を順次に示す図面である。
【図２６】本発明の漢字入力スキームを採用したＰＤＡで、‘取’字を入力する過程を順次に示す図面である。
【図２７】本発明の漢字入力スキームを採用したＰＤＡで、‘取’字を入力する過程を順次に示す図面である。
【図２８】本発明の漢字入力スキームを採用したＰＤＡで、‘取’字を入力する過程を順次に示す図面である。
【図２９】本発明の漢字入力スキームを採用したＰＤＡで、‘取’字を入力する過程を順次に示す図面である。
【図３０】本発明の漢字入力スキームを採用したＰＤＡで、‘取’字を入力する過程を順次に示す図面である。
【図３１】本発明の漢字入力スキームを採用したＰＤＡで、‘可’字を入力する過程を順次に示す図面である。
【図３２】本発明の漢字入力スキームを採用したＰＤＡで、‘可’字を入力する過程を順次に示す図面である。
【図３３】本発明の漢字入力スキームを採用したＰＤＡで、‘可’字を入力する過程を順次に示す図面である。
【図３４】本発明の他の実施形態による漢字入力スキームを採用した携帯電話の外観を示している。
【図３５】本発明のまた他の実施形態による漢字入力スキームを採用した携帯電話の外観を示している。
【符号の説明】
１１  ＬＣＤパネル
１２  キーパッド
１３  メモリ
１４  制御器
１５  レジスタ
【図１】
2004213594.tif 000073
【図２】
2004213594.tif 000074
【図３】
2004213594.tif 000075
【図４】
2004213594.tif 000076
【図５】
2004213594.tif 000077
【図６】
2004213594.tif 000078
【図７】
2004213594.tif 000079
【図８】
2004213594.tif 000080
【図９】
2004213594.tif 000081
【図１０】
2004213594.tif 000082
【図１１】
2004213594.tif 000083
【図１２】
2004213594.tif 000084
【図１３】
2004213594.tif 000085
【図１４】
2004213594.tif 000086
【図１５】
2004213594.tif 000087
【図１６】
2004213594.tif 000088
【図１７】
2004213594.tif 000089
【図１８】
2004213594.tif 000090
【図１９】
2004213594.tif 000091
【図２０】
2004213594.tif 000092
【図２１】
2004213594.tif 000093
【図２２】
2004213594.tif 000094
【図２３】
2004213594.tif 000095
【図２４】
2004213594.tif 000096
【図２５】
2004213594.tif 000097
【図２６】
2004213594.tif 000098
【図２７】
2004213594.tif 000099
【図２８】
2004213594.tif 000100
【図２９】
2004213594.tif 000101
【図３０】
2004213594.tif 000102
【図３１】
2004213594.tif 000103
【図３２】
2004213594.tif 000104
【図３３】
2004213594.tif 000105
【図３４】
2004213594.tif 000106
【図３５】
2004213594.tif 000107